(57)【要約】【課題】  タッチパネルに伝わった圧電素子の振動が減衰しにくく、操作者がタッチパネルを押圧する押圧強さに関わらす、タッチパネルの振動を操作者の指に伝えることができる入力装置および液晶表示装置を提供する。【解決手段】  本発明の入力装置１は、操作面２０ａを有するタッチパネル２０と、湾曲した板状の剛体から成り、操作面２０ａを覆うように配設される保護板１０と、保護板１０に設けられ、保護板１０の厚み方向に振動する振動体４０と、保護板１０を予め定める受面上で支持する弾性変形可能な支持部材５０と、を備えている。【選択図】    図２
2018124793.tif 000002
【特許請求の範囲】
【請求項１】
操作面を有するタッチパネルと、
湾曲面を有する剛体から成り、前記操作面を覆うように配設される保護板と、
前記保護板に設けられ、前記保護板の厚み方向に振動する振動体と、
前記保護板を予め定める受面上で支持する弾性変形可能な支持部材と、
を備える入力装置。
【請求項２】
前記保護板は複数の隅部を有し、前記支持部材は前記保護板の隅部を支持していることを特徴とする請求項１に記載の入力装置。
【請求項３】
前記保護板は矩形状であり、前記振動体は前記保護板の辺部の中央部に設けられていることを特徴とする請求項１または２に記載の入力装置。
【請求項４】
前記保護板は、前記タッチパネル側に凸となる湾曲面を有していることを特徴とする請求項１〜３のいずれか１項に記載の入力装置。
【請求項５】
前記タッチパネルと前記保護板とが収容される保護部材を備えており、
前記受面は、前記保護部材に設けられることを特徴とする請求項１〜４のいずれか１項に記載の入力装置。
【請求項６】
前記振動体と前記保護板との間に配設された、前記振動体が発生した振動を前記保護板に伝達する振動伝達部材を備えることを特徴とする請求項１〜５のいずれか１項に記載の入力装置。
【請求項７】
前記支持部材は、板ばねであることを特徴とする請求項１〜６のいずれか１項に記載の入力装置。
【請求項８】
請求項１〜７のいずれか１項に記載の入力装置と、
液晶表示パネルと、を備えた液晶表示装置。
【請求項９】
前記保護部材の底面に配設されたバックライト装置を備え、
前記保護部材は、前記バックライト装置を保持する枠体を含み、
前記受面は、前記枠体に設けられていることを特徴とする請求項５記載の入力装置を備える請求項８に記載の液晶表示装置。
【発明の詳細な説明】
【技術分野】
【０００１】
本発明は、入力装置および液晶表示装置に関する。
【背景技術】
【０００２】
特許文献１には、平板で長方形状のタッチパネルを備えた入力装置と、この入力装置を備えた液晶表示パネルとが記載されている。タッチパネルは、タッチパネルを短辺方向に伸縮させる第１圧電素子と、タッチパネルを厚み方向に振動させる第２圧電素子とを備えており、タッチパネルは４つの隅部に設けられた支持部で支持されている。支持部は、シリコーンゴム、ウレタンゴム、プラスチック等の材料で形成されている。
【０００３】
制御部が、２個の第１圧電素子を、タッチパネルの短辺方向に伸縮させると、タッチパネルは、両方の長辺側を節として湾曲振動し、制御部が、第２圧電素子を、厚み方向に伸縮させるとタッチパネルは厚み方向に湾曲振動する。
【０００４】
特許文献２には、操作者が押圧した入力画面上の入力器官に対応して、入力画面全体が規定の運動を行なう装置が記載されている。湾曲した入力画面が振動することは記載されているが、入力画面が変形を生じるか否かは不明であり、入力画面を支持する支持構成についての記載はない。
【先行技術文献】
【特許文献】
【０００５】
【特許文献１】特開２０１３−２０３６２号公報
【特許文献２】特開平１０−１０５３３７号公報
【発明の概要】
【発明が解決しようとする課題】
【０００６】
特許文献１に記載の入力装置では、タッチパネルは振動によって変形を生じており、圧電素子からタッチパネルに伝わった振動は、タッチパネルを伝わる間に減衰しやすい。このために第１および第２圧電素子が発生した振動を効率良く操作者の指に伝えることができないという問題がある。
【０００７】
さらに、タッチパネルを支持する支持部は、シリコーンゴム、ウレタンゴム、プラスチック等の材料で形成されており、タッチパネルが支持部から受ける反力が大きいので、各支持部がタッチパネルの振動を抑制してしまう。そのため、操作者が、タッチパネルを不用意に強く押圧した場合には、タッチパネルの微細な振動が操作者の指に伝わりにくくなるので、操作者は、タッチパネルを深く押圧しない繊細な操作を強いられるという問題があった。
【０００８】
本発明の目的は、タッチパネルに伝わった圧電素子の振動が減衰しにくく、操作者がタッチパネルを押圧する押圧強さに関わらす、タッチパネルの振動を操作者の指に伝えることができる入力装置および液晶表示装置を提供することである。
【課題を解決するための手段】
【０００９】
本開示の入力装置は、操作面を有するタッチパネルと、
湾曲面を有する剛体から成り、前記操作面を覆うように配設される保護板と、
前記保護板に設けられ、前記保護板の厚み方向に振動する振動体と、
前記保護板を予め定める受面上で支持する弾性変形可能な支持部材と、
を備えている。
【００１０】
また、本開示の入力装置は、前記保護板は複数の隅部を有し、前記支持部材は前記保護板の隅部を支持していることを特徴とする。
【００１１】
また、本開示の入力装置は、前記保護板は矩形状であり、前記振動体は前記保護板の辺部の中央部に設けられていることを特徴とする。
【００１２】
また、本開示の入力装置は、前記保護板が、前記タッチパネル側に凸となる湾曲面を有していることを特徴とする。
【００１３】
また、本開示の入力装置は、前記タッチパネルと前記保護板とが収容される保護部材を備えており、前記受面は、前記保護部材に設けられることを特徴とする。
【００１４】
また、本開示の入力装置は、前記振動体と前記保護板との間に配設された、前記振動体が発生した振動を前記保護板に伝達する振動伝達部材を備えることを特徴とする。
【００１５】
また、本開示の入力装置は、前記支持部材が、板ばねであることを特徴とする。
【００１６】
また、本開示の液晶表示装置は、前記入力装置と液晶表示パネルを備えていることを特徴とする液晶表示装置である。
【００１７】
また、本開示の液晶表示装置は、前記保護部材の底面に配設されたバックライト装置を備え、前記保護部材は、前記バックライト装置を保持する枠体を含み、
前記受面は、前記枠体に設けられていることを特徴とする液晶表示装置である。
【発明の効果】
【００１８】
本開示の入力装置によれば、湾曲した板状の剛体から成る保護板が弾性変形可能な支持部材によって支持されるので、保護板が厚み方向において凸状および凹状に交互に変形するように振動する湾曲振動が生じることを抑えることができるとともに保護板の振動が減衰しにくくなる。また、操作者が保護板を指で押圧する強さに関わらず、保護板の振動を操作者の指に確実に伝え、タッチ操作の操作性を向上することができる。
【００１９】
また、本開示の入力装置によれば、前記支持部材が、前記保護板を複数の隅で支持しているので、各支持部材による保護板の振動の減衰を少なくし、安定した状態で支持することができる。
【００２０】
また、本開示の入力装置によれば、振動体で発生した振動を保護板全体に略均等に伝達することができる。
【００２１】
また、本開示の入力装置によれば、前記保護板が、前記タッチパネル側に凸となるように湾曲して配設されるので、保護板の剛性が向上して振動の減衰を小さくすることができるとともに、操作者が保護板を指で押した場合に、指に接触する保護板の面積が大きくなり、タッチパネルの微細な振動が操作の指に伝わりやすくなる。
【００２２】
また、本開示の入力装置によれば、支持部材を長くすることによって、操作者の押圧による保護板の変位に対して、保護板が支持部材から受ける反力の変化を小さくすることができる。これによって、操作者は、タッチパネルを保護板上から押圧しても、保護板の振動を支持部材の弾性変形によって許容することができ、振動の減衰を低減することができる。
【００２３】
また、本開示の入力装置によれば、振動体が発生した振動を振動伝達部材によって適度に緩和させて、保護板に伝えることができる。剛体である保護板に振動体を直接設ける場合に比べて、振動体に生じる応力が小さくなり、振動体の破損を抑制することができ、振動体の寿命を延ばすことができる。
【００２４】
また、支持部材が板ばねであるので、支持部材の変形可能な方向が規制されており、容易に保護板の厚み方向に変形させることができる。
【００２５】
また、本開示の液晶表示装置によれば、支持部材の長さを長くすることがでるので、ばね定数が小さい支持部材を用いることが可能となり、操作者の指によって保護板が押圧された状態であっても、保護板の振動を支持部材によって許容し、保護板の振動が支持部材によって抑制されることを緩和することができる。
【００２６】
また、本開示の液晶表示装置によれば、支持部材の長さをさらに大きくすることがでるので、支持部材のばね定数をさらに小さくして、保護板が受ける支持部材からの反力を小さくし、保護板の支持部材による振動の減衰を小さくすることができる。
【図面の簡単な説明】
【００２７】
【図１】第１実施形態に係る入力装置を備えた液晶表示装置の正面図である。
【図２】入力装置を備えた液晶表示装置の切断面線Ａ−Ａから見た断面図である。
【図３】支持部材の断面図である。
【図４】支持部材の断面図である。
【図５】第２実施形態に係る入力装置を備えた液晶表示装置の断面図である。
【図６】第３実施形態に係る入力装置を備えた液晶表示装置の断面図である。
【図７】第４実施形態に係る入力装置を備えた液晶表示装置の断面図である。
【図８】第５実施形態の入力装置を備えた液晶表示装置の断面図である。
【発明を実施するための形態】
【００２８】
図１は第１実施形態の入力装置１を備えた液晶表示装置１００の正面図である．図２は入力装置１を備えた液晶表示装置１００の切断面線Ａ−Ａから見た断面図である。液晶表示装置１００は、入力装置１と、液晶表示パネル７０と、バックライト装置８０とを備えている。
【００２９】
入力装置１は、操作面２０ａを有するタッチパネル２０と、湾曲した板状の剛体から成り、操作面２０ａを覆うように配設される保護板１０と、保護板１０に設けられ、保護板１０の厚み方向Ｚに振動する振動体４０と、保護板１０を予め定める受面上で支持する弾性変形可能な支持部材５０と、を備えている。本発明におけるタッチパネル２０の操作面２０ａは、静電容量方式のタッチパネルの場合であれば、操作面２０ａに直接指等で触れなくても静電容量の変化を検出することもできることから、指等で直接触れなくても操作可能な面である。従って、操作面２０ａは動作面、検出面ということもできる。
【００３０】
保護板１０は、平面視において、長手方向に沿って対向する２つの長辺部１０ａ，１０ｂと、２つの長辺部１０ａ，１０ｂの端部間に位置する２つの曲線部１０ｃ，１０ｄとを含んで構成される平面視が略長方形状の、湾曲した面１０ｅを有する剛体である。面１０ｅは、円筒面、球面、回転楕円体面等の一部の曲面で構成されている。保護板１０が円筒面または球面の一部である場合には、その曲率半径は５００ｍｍ〜２０００ｍｍ程度である。本発明における保護板１０は、少なくとも一方の面が湾曲した面であり他方の面が平坦面である構成を含み得る。その場合、例えばタッチパネル２０および液晶表示パネル７０が平坦面に設置されていてもよい。保護板１０がガラス基板である場合の保護板１０の厚みは０．１ｍｍ〜２ｍｍ程度の範囲内で選定され得る。保護板１０が薄型化されたガラス基板である場合の保護板１０の厚みは、０．２ｍｍ〜０．８ｍｍ程度である。保護板１０が薄形化された強化ガラス基板である場合、その保護板１０の厚みは、０．１５ｍｍ〜０．５ｍｍ程度である。そして、保護板１０は、強化ガラス基板であることが好ましい。この場合、保護板１０が湾曲振動することを抑える効果が向上する。
【００３１】
保護板１０は、透明なものに限定されるものではなく、保護板１０をタッチパネル２０に装着したとき、保護板１０を介してタッチパネル２０の操作面２０ａが透視できないものも含む。ただし、入力装置１が液晶表示パネル等の表示パネルを備えている場合、保護板１０は透明なものとなる。本実施形態において、保護板１０は平面視が略長方形状であるが、これに限定されるものではなく、円形、楕円形などの他の形状であってもよい。
【００３２】
タッチパネル２０は、操作者が指あるいはペンなどで押圧して入力操作した個所を操作位置として検出する入力デバイスである。タッチパネル２０は、たとえば平面視が長方形状をなしている。長方形状とは、長方形状に限定されるものではなく、隅部が円弧状に面取りされたものなども含む。また、平面視が長方形状のものに限定されるものではなく、円形、楕円形等の他の形状であってもよい。
【００３３】
タッチパネル２０は、保護板１０の背面１０ｆに沿って湾曲する操作面２０ａ、および操作面２０ａの反対側に位置する背面２０ｂを有している。操作面２０ａは、操作者により指あるいはペン等により入力操作される面である。タッチパネル２０は、例えば、静電容量方式のタッチパネル、抵抗膜方式のタッチパネル、表面弾性波方式のタッチパネル、赤外線方式のタッチパネル、あるいは電磁誘導方式のタッチパネルであるが、検出感度向上の観点から、静電容量方式のタッチパネルが好ましい。
【００３４】
振動体４０は例えば圧電素子であり、セラミック圧電体，ポリマー圧電体等の圧電体、偏心モーター、リニアバイブレータ、形状記憶合金等から成る。セラミック圧電体の材料としては、チタン酸バリウム（BaTiO３）、チタン酸鉛（PbTiO3）、チタン酸ジルコン酸鉛（Pb[ZrxTi1-x]O3  0<x<1  混晶：PZT）、ニオブ酸カリウム（KNbO3）、ニオブ酸リチウム（LiNbO3）、タンタル酸リチウム（LiTaO3）、タングステン酸ナトリウム（NaxWO3）、酸化亜鉛（ZnO,Zn2O3）、Ba2NaNb5O5、Pb2KNb5O15、リチウムテトラボレート（Li2B4O7）、ニオブ酸ナトリウムカリウム（（K,Na）NbO3）、チタン酸ビスマスナトリウム（Na0.5Bi0.5TiO3）等が採用できる。ポリマー圧電体の材料として、ポリフッ化ビニリデン（1,1-2フッ化エタン重合体：PVDF）等が採用できる。
【００３５】
振動体４０が発生する振動の周波数は３０Ｈｚ〜３００Ｈｚ程度であり、人の指で良好な触感が得られる触覚振動としては、５０Ｈｚ〜２５０Ｈｚ程度が好ましい。振動の振幅は３０μｍ〜１０００μｍ程度であり、人の指で良好な触感が得られる触覚振動としては、５０μｍ〜１５０μｍ程度が好ましい。また、液晶表示パネル７０およびバックライト装置８０が、振動体４０による振動の障害にならないためには、液晶表示パネル７０とバックライト装置８０との間の空間の最小間隔（最低高さ）が１ｍｍ〜５ｍｍ程度であることがよく、より好適には薄型化の点で１ｍｍ〜３ｍｍ程度であることがよい。
【００３６】
振動体４０の形状は、直方体、立方体、板状体、円柱等の形状とし得る。振動体４０は例えば圧電素子であり、操作者による所定の入力操作を検知した場合に、保護板１０に変位を伴う振動をさせる振動源として用いられる。振動体４０には、操作者の保護板１０への押圧荷重を検出する役割を担わせることもできる。本実施形態では、振動体４０は、タッチパネル２０の外側であって、保護板１０の背面１０ｆに設けられている。
【００３７】
振動体４０は、長方形状の保護板１０の２つの長辺部１０ａ，１０ｂの中央部に各々設けられている。振動体４０を保護板１０の長辺部１０ａ，１０ｂの中央部に設けることによって、振動体４０で発生した振動を保護板１０全体に略均等に伝達することができる。
【００３８】
液晶表示パネル７０は、表示のために液晶組成物を利用した表示パネルである。なお、液晶表示パネル７０の代わりに、プラズマディスプレイ、有機ＥＬディスプレイ、発光ダイオード（ＬＥＤ）ディスプレイ、電子ペーパ等の表示パネルであってもよい。
【００３９】
保護部材３０は、タッチパネル２０、保護板１０、液晶表示パネル７０、バックライト装置８０を収容する役割を担うものであり、構成材料として、たとえば、ポリカーボネート等の樹脂、あるいは、ステンレス（ＳＵＳ）、アルミニウム等の金属が挙げられる。保護部材３０は、周壁３１と周壁３１に連なる底壁３２とを備え、保護板１０、タッチパネル２０、液晶表示パネル７０およびバックライト装置８０が収容される。
【００４０】
保護部材３０の開口部３５を構成する周壁３１上には、枠体５１が配設されており、枠体５１には、支持部材５０を受ける受面が設けられている。このような構成であれば、保護板１０を支持する支持部材５０を介して、保護板１０、タッチパネル２０および液晶表示パネル７０を枠体５１に装着し、保護板１０、タッチパネル２０および液晶表示パネル７０を装着した枠体５１を、バックライト装置８０が収容された保護部材３０に配設することができる。
【００４１】
支持部材５０は、弾性変形可能でばね定数の小さいコイルばね、板ばね、シリコーンゴム、スポンジ等からなり、保護板１０を保護部材３０上に配置された枠体５１に支持される。支持部材５０は、保護板１０の４隅に各々１つずつ設けられる。これによって、４つの支持部材５０を略同じように撓ませて、保護板１０を安定した状態で支持することができる。４つの支持部材５０は、振動体４０からの距離が略同じであり、振動体４０が発生する振動の影響を略同じように受けることができる。
【００４２】
図３は、支持部材５０として用いられる板バネ５０ａの断面図であり、図４は支持部材５０として用いられる板ばね５０ｂの断面図である。板ばね５０ａは、平板状の板材を曲げ加工して形成しており、板バネ５０ｂは一体成形して形成している。このような板バネ５０ａ，５０ｂは、容易に任意のばね定数を備えたものとすることができる。
【００４３】
板バネ５０ｂが保護板１０に接着する接着面５０dは、設置スペースを広げることなく、板バネ５０ａが保護板１０に接着する接着面５０ｃよりも大きくすることができ、板バネ５０ｂが枠体５１に接着する接着面５０ｆは、設置スペースを広げることなく、板バネ５０ａが枠体５１に接着する接着面５０ｅよりも大きくすることができる。板バネ５０ｂでは、保護板１０に接着する接着面５０dおよび枠体５１に接着する接着面５０ｆを大きく取れるので、保護板１０および枠体５１に強固に接着することができる。板バネ５０ａ，５０ｂは、シリコーンゴムなどと異なり変形可能な方向が方向Ｚに規制されているので、容易に保護板１０の厚み方向に変形させることができる。
【００４４】
振動体４０に保護板１０の厚み方向の上下振動が発生し、この振動体４０の振動が保護板１０に伝わった場合に、保護板１０は剛体であり、弾性変形をすることはなく、厚み方向Ｚの変位を伴って振動する。弾性変形を伴って振動する場合には、弾性変形を伴わずに振動する場合よりも振動が減衰しやすいが、保護板１０の振動は、保護板１０の長手方向の伸縮あるいは短手方向の伸縮等の変形を伴わないので減衰しにくい。
【００４５】
操作者が保護板１０を強く押圧して、支持部材５０が大きく撓んだ場合であっても、保護板１０が支持部材５０から受ける反力の変化は小さく、小さい反力を受けた状態で保護板１０を支持することができる。操作者が強く押圧すると、支持部材５０から受ける反力は大きくなり、保護板１０の微細な振動が操作者の指に伝わりにくくなることを抑制して、保護板１０の押圧強さに関わらす、保護板１０の振動を操作者の指に伝えることができる。
【００４６】
保護板１０の背面１０ｆには、ストッパ５５を設けることもできる。ストッパ５５は、たとえば樹脂や金属などを用いて直方体などに形成されており、操作者が保護板１０を不用意に強く押圧したとき、ストッパ５５が枠体５１の底面５２に当接して、タッチパネル２０や液晶表示パネル７０などが、保護部材３０に装着されているバックライト装置８０などに接触することが防止される。ストッパ５５は、複数個所に設けられても良い。操作者が保護板１０を押圧していない状態で、ストッパ５５と、枠体５１の底面５２との間の隙間Ｙは１．０ｍｍが好ましい。また、ストッパ５５が枠体５１の底面５２に接近し、あるいは、ストッパ５５が枠体５１の底面５２に当接したとき警告音を発生する図示しないブザーを設けても良い。
【００４７】
図５は第２実施形態の入力装置１を備えた液晶表示装置１００の断面図である。第１実施形態の説明と重複する部分については説明を省略して同一の参照符を用いる。本実施形態においては、振動体４０と保護板１０との間に、振動伝達部材６０が配設される。振動伝達部材６０は、振動体４０が発生した振動を保護板１０に伝達する。
【００４８】
振動伝達部材６０は、アルミニウム,ステンレススチール,真鍮（銅−亜鉛合金）等の金属、シリコーン樹脂（シリコーンゴム），アクリル樹脂，エポキシ樹脂，ポリイミド，ポリカーボネート，ポリエチレンテレフタレート（ＰＥＴ）等の樹脂、多孔性ウレタン樹脂等の多孔性樹脂、その他ゴム、スポンジ、アルミナセラミック等のセラミックなどから成る。また振動伝達部材６０は、振動の減衰を抑える場合には、コイルバネ、板バネ等の弾性体であることが好ましい。
【００４９】
振動伝達部材６０を設けることによって、振動体４０が発生した振動を振動伝達部材６０によって適度に緩和させて、保護板１０に伝えることができる。剛体である保護板１０に振動体４０を直接設ける場合に比べて、振動体４０に生じる応力が小さくなり、振動体４０の破損を抑制することができ、振動体４０の寿命を延ばすことができる。
【００５０】
図６は第３実施形態の入力装置１を備えた液晶表示装置１００の断面図である。第１または２の実施形態の説明と重複する部分については説明を省略して同一の参照符を用いる。液晶表示装置１００は、保護部材３０の底面に配設されたバックライト装置８０を備えている。
【００５１】
バックライト装置８０は、光源および導光板を備えている。光源は、導光板に向けて光を出射する役割を担う部材であり、例えば、ＬＥＤ（Light  Emitting  Diode）から構成される。なお、ＬＥＤの代わりに、冷陰極蛍光ランプ（ＣＣＦＬ）、ハロゲンランプ、キセノンランプ、ＥＬ（Electro-Luminescence）であってもよい。導光板は、液晶表示パネル７０の下面全体にわたって、光源からの光を略均一に導くための役割を担う部材である。
【００５２】
保護部材３０は、バックライト装置８０を保持する枠体８１を含んでおり、枠体８１には、保護板１０を支持する支持部材５０の受面が設けられている。支持部材５０がバックライト装置８０の枠体８１に支持されることにより、支持部材５０を枠体５１に設ける場合より、支持部材５０の長さを大きくすることがでるので、支持部材５０のばね定数をさらに小さくして、保護板１０が受ける支持部材５０からの反力を小さくし、保護板１０の支持部材５０による振動の減衰を少なくすることができる。
【００５３】
図７は第４実施形態の入力装置を備えた液晶表示装置の断面図である。第１〜第３実施形態の説明と重複する部分については説明を省略して同一の参照符を用いる。支持部材５０は、保護部材３０の底壁３２の底面３３に設置される。支持部材５０が保護部材３０の底面３３に支持されることにより、支持部材５０をさらに長くすることができる。これによって、操作者の押圧による保護板１０の変位に対して、保護板１０が支持部材５０から受ける反力の変化を小さくすることができる。支持部材５０としてばね定数のさらに小さいコイルバネ等を用いて、保護板１０が受ける支持部材５０からの反力を小さくすることができる。操作者が保護板１０を押圧する押圧強さに対して、保護板１０が受ける支持部材５０からの反力の変化をさらに小さくすることができるので、操作者は、保護板１０の繊細な操作を強いられない。
【００５４】
図８は第５実施形態の入力装置を備えた液晶表示装置の断面図である。第１〜第４実施形態の説明と重複する部分については説明を省略し、同一の参照符を用いる。本実施形態では、保護板１０が、タッチパネル２０側に凸となるように湾曲して配設されている。このような構成であると、保護板１０が、タッチパネル２０側に凸となるように湾曲して配設されるので、保護板１０の剛性を向上して振動の減衰を少なくすることができるとともに、操作者が保護板１０を指で押した場合に、指に接触する保護板１０の面積が大きくなり、タッチパネル２０の微細な振動が操作者の指に伝わりやすくなる。
【符号の説明】
【００５５】
１    入力装置
１０    保護板
１０ａ，１０ｂ  長辺部
１０ｃ，１０ｄ  曲線部
１０ｅ  面
１０ｆ  背面
２０    タッチパネル
２０ａ    操作面
３０    保護部材
３１    周壁
３２    底壁
３３    底面
３５    開口部
４０    振動体
５０    支持部材
５０ａ，５０ｂ    板ばね
５０ｃ，５０ｄ，５０ｅ，５０ｆ    接着面
５１    枠体
５２    底面
５５    ストッパ
６０    振動伝達部材
７０    液晶表示パネル
８０    バックライト装置
１００  液晶表示装置
【図１】
2018124793.tif 000003
【図２】
2018124793.tif 000004
【図３】
2018124793.tif 000005
【図４】
2018124793.tif 000006
【図５】
2018124793.tif 000007
【図６】
2018124793.tif 000008
【図７】
2018124793.tif 000009
【図８】
2018124793.tif 000010